(57)【要約】【課題】従来の携帯電話の振動や音及び発光機能において着信やメールを知り携帯電話本体を取り出して着信相手を確認していた事や携帯電話を使用できない場所のマナーモード設定忘れ及び携帯電話を家に忘れて出かけたり何処に置いたか忘れたときに忘れや探す課題を解決するものある。【解決手段】本発明は、携帯電話の携帯電話本体と互換性機能を持たせた補助機種に着信を知らせる振動・音・発光機能や液晶パネル及びメッセージ対応ボタンを施して、仕事中や入浴中などに電話又はメールに出ることが出来ない理由の数種類メッセージの中から１つの対応ボタンを押すと互換性機能で携帯電話本体から選択したメッセージを着信相手に返信応答する機能や携帯電話本体と数拾メートル離れると携帯忘れ表示機能及び携帯電話本体探しの機能を施し解決したものである。【選択図】  図１
2008263277.tif 000002
【特許請求の範囲】
【請求項１】
携帯電話本体と同周波数電波受信機能を補助機種に施し及び携帯電話本体と相互無線対応機能を補助機種に施すことにより互換性を持たせた補助機種に防水を施した防水腕時計・防水ブレスレット・防水リストペンダント・防水リストバンドに携帯電話本体に時間予約設定したアラームや電話及びメールの着信を振動と発光及び音で知らせる機能を施しさらに液晶パネルを設置して、その液晶パネル画面にアラーム表示や着信相手の名前及び電話番号表示し着信相手を確認して会話やメールを見る時は携帯電話本体を取り出して従来の携帯電話操作で会話やメールを送信することが出来る形態を特徴とする、携帯電話本体と互換性機能補助機種の防水腕時計・防水ブレスレット・防水リストペンダント・防水リストバンドである。
【請求項２】
また、会議中・運転中・コンサート・入浴中・作業中等の電話対応やメール対応ができない時の着信を受けた者の現状況に応じた対応メッセージを予め携帯電話本体に数種類の応答メッセージを録音記憶したメセージ内容の中から互換性機能補助機種の防水腕時計・防水ブレスレット・防水リストペンダント・防水リストバンドに施したメッセージボタン及び液晶パネルセンサー数個の中から応答内容１つを選択した１つのメッセージボタン及び液晶パネルセンサーを押すことにより携帯電話本体を取り出さずに着信を受けた者の現状況に応じた対応メッセージを互換性機能補助機種の防水腕時計・防水ブレスレット・防水リストペンダント・防水リストバンドから無線機能で携帯電話本体へ指示し選択した応答メッセージを携帯電話本体から着信相手に送信することが出来る形態を特徴とする、請求項１の携帯電話本体と互換性機能補助機種の防水腕時計・防水ブレスレット・防水リストペンダント・防水リストバンドである。
【請求項３】
携帯電話本体と互換性機能を持たせた補助機種の防水腕時計・防水ブレスレット・防水リストペンダント・防水リストバンドと無線相互作用機能を施して無線の届く一定範囲１０ｍ〜５０ｍの距離を離れると補助機種が無線電波範囲圏外を離れたことを察知し無線範囲圏外に出たことを知らせる振動機能・音機能・発光機能と液晶パネルで携帯忘れと表示をする事により携帯本体を家や勤め先及び出先等に置き忘れることや落として無くすことを防止することが出来る形態を特徴とする、請求項１又は２の携帯電話本体と互換性機能補助機種の防水腕時計・防水ブレスレット・防水リストペンダント・防水リストバンドである。
【請求項４】
携帯電話本体と無線相互作用機能を施した補助機種の防水腕時計・防水ブレスレット・防水リストペンダント・防水リストバンドに携帯電話本体を何処かに置き忘れた時に補助機種に施した探しボタンを押す事により携帯電話本体が音や発光反応させて携帯電話本体が置いてある場所を知らせることが出来ることや逆の携帯電話本体に補助機種を探すボタンや液晶パネルの探す表示を押すことで補助機種が音や発光反応させて置いてある位置を知らせることが出来る形態を特徴とする、請求項１、２又は３の携帯電話本体と互換性機能補助機種の防水腕時計・防水ブレスレット・防水リストペンダント・防水リストバンドである。
【請求項５】
携帯電話本体と互換性機能を持たせた補助機種の防水腕時計・防水ブレスレット・防水リストペンダント・防水リストバンドの液晶パネル表示画面を通常表示は日時曜日や無線電波状況及び電池残量状況を表示又は動画や静止画像の設定画面にして着信と同時に液晶パネルの画面が着信と着信者名及び着信電話番号の表示画面に変わり着信確認をして着信を受けた者の状況に合わせた対応メッセージを送信し、送信終了後は送信終了した表示画面にすることで送信確認することが出来る形態を特徴とする、請求項１、２、３又は４の携帯電話本体と互換性機能補助機種の防水腕時計・防水ブレスレット・防水リストペンダント・防水リストバンドである。
【発明の詳細な説明】
【技術分野】
【０００１】
従来の携帯電話において、着信時に携帯電話を取り出して着信確認をする場合バックの中やポッケト等から取り出す動作で確認しなくてはならないが仕事中や移動中及び商談中には中断しなくてはならないことで問題があり、またマナーモード設定忘れや携帯電話を家に忘れて出かけたり何処に置いたか忘れたときに探す事に関するものである。
【背景技術】
【０００２】
従来の携帯電話において、着信時に携帯電話を取り出して着信確認をするためにバックの中やポッケトの中等から取り出して確認することがあり、また仕事中や会議中及び商談中には仕事を中断しなくてはならない、さらにマナーモード設定忘れや携帯電話を家に忘れて出かけたり何処に置いたか忘れたときに探す問題があった。
【０００３】
従来の携帯電話着信を知らせる補助機において、腕時計やテレビ及びアクセサリーペンダントと連動した着信表示や着信を振動や発光又は音により知らせる物がある。
【０００４】
【特許文献１】特開２００３−３０４３０４
【特許文献２】特開２００１−２３１６２４
【特許文献３】特開２００１−４５１１１
【発明の開示】
【発明が解決しようとする課題】
【０００５】
従来の携帯電話の振動機能や音機能及び発光機能において携帯電話本体に時間予約設定したアラームや電話及びメール着信を知り携帯電話本体を取り出して着信相手を確認していたことや携帯電話を使用できない場所のマナーモード設定忘れ及び携帯電話を家に忘れて出かけたり何処に置いたか忘れたときに忘れや探す課題を解決するものある。
【課題を解決するための手段】
【０００６】
本発明の目的を達成するために、携帯電話本体と同周波数電波受信及び携帯電話本体と相互無線の互換性機能を持たせた補助機種の防水腕時計・防水ブレスレット・防水リストペンダント・防水リストバンドに従来の携帯電話と同じ着信を知らせる振動機能・発光機能・音機能及び液晶パネル表示機能を施して、その液晶パネル表示に通常は日時曜日表示や動画及び静止画像表示した液晶パネルに携帯電話本体に時間予約設定したアラームや携帯電話本体の着信と同時に表示がアラームや着信者名及び着信電話番号又はメール着信の表示画面に変わり着信相手確認を腕の補助機種の液晶パネルを見るだけで確認が出来て、仕事中や会議中及び商談中には仕事を中断することなく携帯電話本体と互換性機能を持たせた補助機種の防水腕時計・防水ブレスレット・防水リストペンダント・防水リストバンドに電話に出ることが出来ない理由のメッセージ対応応答機能を施したボタン及び液晶パネルセンサーを押すことで携帯電話本体をバックの中やポッケト等から取り出さず着信相手に現状況対応する為の予め決めた数種類の応答メッセージの中からボタン及び液晶パネルセンサーの１つを選び押すことにより返信対応する事が出来る形態の携帯電話と互換性機能補助機種である。
【０００７】
また、携帯電話本体と互換性機能の無線相互作用を施した補助機種に、無線の届く一定範囲１０ｍ〜５０ｍの距離を離れると補助機種が無線電波範囲圏外を離れたことを察知し無線範囲外に出たことを知らせる振動機能・音機能・発光機能と液晶パネルで携帯忘れと表示をする事により携帯本体を家や勤め先及び出先に置き忘れることや落として無くすことを防止する機能及び携帯電話本体を何処かに置き忘れた時に補助機種に施した探しボタンを押す事により携帯電話本体が音や発光反応させて携帯電話本体が置いてある位置を知らせることが出来ることや逆の携帯電話本体に補助機種を探すボタンや液晶パネルセンサー表示を押すことで補助機種が音や発光反応させて置いてある位置を知らせることが出来る形態の携帯電話と互換性機能補助機種である。
【発明の効果】
【０００８】
本発明の効果については、会議中・運転中・コンサート・作業中等の場所においてマナーモ−ド設定を忘れたり、商談中や入浴中及び化粧中等の時に着信やメールがあった時に携帯電話と互換性機能を持たせた補助機種の防水腕時計・防水ブレスレット・防水リストペンダント・防水リストバンドの液晶パネルで携帯電話本体に時間予約設定したアラームや着信相手表示を確認してアラームの場合には停止ボタンをおして停止させて着信相手に応答できない場合に只今電話に出ることが出来ない旨の簡単なメッセージをボタン及び液晶パネルセンサー操作１つで対応しバックの中やポッケト等から携帯電話を置いてある場所から取り出さず返信対応する携帯電話本体と互換性機能補助機種である。
【０００９】
また、携帯電話本体と互換性機能を持たせた補助機種の防水腕時計・防水ブレスレット・防水リストペンダント・防水リストバンドと無線相互作用を施した携帯電話本体を何処かに置き忘れた時の場合に補助機種の探しボタンを押して携帯電話本体が音や発光を発して携帯電話本体が置いてある場所をしらせる事が出来ることや逆の携帯電話本体に補助機種を探すボタンや液晶パネルセンサー表示を押すことで補助機種が音や発光反応させて置いてある位置を知らせることが出来る携帯電話本体と互換性機能補助機種である。
【００１０】
さらにまた、携帯電話本体から無線の届く一定範囲例えば１０ｍ〜５０ｍの距離を離れると補助機種が無線電波範囲圏外を離れたことを察知し無線範囲外に出たことを知らせる振動・音・発光と液晶パネルで携帯忘れ表示をする事により携帯電話本体を住いや勤め先及び出先に置き忘れることや落として無くすことを防止する携帯電話本体と互換性機能補助機種である。
【発明を実施するための最良の形態】
【００１１】
以下、本発明の実施形態を図１〜図５に基づいて説明する。
【００１２】
図１においては、携帯電話本体１と同周波数５及び携帯電話本体１との相互無線６−ａ対応機能を施すことにより互換性を持たせた補助機種１０の防水腕時計２・防水ブレスレット３・防水リストペンダント４・防水リストバンド５に、携帯電話本体に時間予約設定したアラームや電話及びメールの着信を図２で示す振動機能７と発光機能８及び音機能８−ａで知らせて図２の液晶パネル１４にアラーム表示確認や着信相手の名前及び電話番号表示を確認して、そのまま電話に出て会話する場合やメールを見る時は携帯電話本体１を取り出して従来の携帯電話操作で会話やメールを返信する事が出来る携帯電話本体１と互換性機能補助機種１０の形態である。
【００１３】
また、会議中・運転中・コンサート・入浴中・作業中等の電話対応やメール対応ができない時に補助機種１０の防水腕時計２・防水ブレスレット３・防水リストペンダント４・防水リストバンド５において着信時液晶パネル画面１４の着信確認をして、その時々の状況に応じたメッセージを予め携帯電話本体１に数種類のメッセージを録音記憶した応答内容を現状況に応じた対応メッセージボタン図２の９−ａ・９−ｂ・９−ｃ・９−ｄ・９−ｅ及び液晶パネルセンサーの中から１つを選択し押すと携帯電話本体１を取り出さずに着信を受けた者の現状況に合わせた対応メッセージを送信する。例えばメッセージボタン図２の９−ｄ及び液晶パネルセンサーを押すと互換性機能を持たせた補助機種１０の防水腕時計２・防水ブレスレット３・防水リストペンダント４・防水リストバンド５から無線機能６−ａで携帯電話本体１に図２の９−ｄの指示したメッセージを例えば、只今入浴中で電話に出ることが出来ませんので後でこちらから連絡いたします。等の指示した内容を送信して着信相手にメッセージで対応する事が出来る携帯電話本体１と互換性機能補助機種１０の形態である。
【００１４】
さらにまた、携帯電話本体１と互換性機能を持たせた補助機種１０の防水腕時計２・防水ブレスレット３・防水リストペンダント４・防水リストバンド５と無線相互作用６−ａを施して、無線の届く一定範囲例えば１０ｍ〜５０ｍの距離を離れると補助機種１０が無線電波範囲圏外を離れたことを察知し無線範囲外に出たことを知らせる図２の振動機能７・音機能８−ａ・発光機能８と液晶パネル１４で携帯忘れと表示をする事により携帯本体１を家や勤め先及び出先に置き忘れることや落として無くすことを防止する機能及び携帯電話本体１を何処かに置き忘れた時に補助機種１０に施した探しボタン９−ｄを長く押す事により携帯電話本体１が音や発光反応させて携帯電話本体１が置いてある位置を知らせることが出来ることや逆の携帯電話本体１に補助機種１０を探すボタンや液晶パネルセンサー表示を押すことで補助機種１０が音機能８−ａや発光機能８を反応させて置いてある位置を知らせることが出来る携帯電話本体１と互換性機能補助機種１０の形態である。
【００１５】
図２においては、携帯電話本体１と互換性機能を持たせた補助機種１０の防水時計２の形態を示したものであり、図３ではその互換性機能補助機種１０の液晶パネル１４−ａで通常は日時曜日表示や無線電波状況１８及び電池残量状況１９を表示した液晶パネル１４の携帯電話本体１と互換性機能補助機種１０の形態である。
【００１６】
図４においては、互換性機能を持たせた補助機種１０の防水腕時計２・防水ブレスレット３・防水リストペンダント４・防水リストバンド５の液晶パネル１４−ａで通常は日時曜日や無線電波状況１８及び電池残量状況１９を表示又は動画や静止画像から図２の着信と同時に液晶パネル１４の着信表示に変わり、着信確認をして着信を受けた者の状況に合わせた対応メッセージを送信することを確認する液晶パネル１４−ｂ表示の補助機種１０の形態ある。
【００１７】
図５においては、互換性機能を持たせた補助機種１０の防水腕時計２・防水ブレスレット３・防水リストバンド５の側面形態である。
【図面の簡単な説明】
【００１８】
【図１】携帯電話電波中継基地及び携帯電話本体と互換性機能補助機種と、その電波受信や送信及び相互無線機能を示す形態図
【図２】互換性機能補助機種の液晶パネル着信表示状態の防水時計平面図
【図３】互換性機能補助機種の液晶パネル日時曜日表示状態の平面図
【図４】互換性機能補助機種の液晶パネルで返信終了した表示状態の平面図
【図５】互換性機能補助機種の側面図
【符号の説明】
【００１９】
１  携帯電話本体
２  互換性機能補助機の防水腕時計
３  互換性機能補助機の防水ブレスレット
４  互換性機能補助機の防水リストペンダント
５  互換性機能補助機の防水リストバンド
６  携帯電話電波中継基地から携帯電話本体の送受信電波
６−ａ  携帯電話本体と互換性機能補助機種との相互無線電波
６−ｂ  携帯電話電波中継基地から互換性機能補助機種の受信電波
７  互換性機能補助機種の内蔵振動モータ
８  互換性機能補助機種の発光機能
８−ａ  互換性機能補助機種の音発生機能
９−ａ  互換性機能補助機種の着信対応ボタン
９−ｂ  互換性機能補助機種の着信対応ボタン
９−ｃ  互換性機能補助機種の着信対応ボタン
９−ｄ  互換性機能補助機種の着信対応ボタン
９−ｅ  互換性機能補助機種の着信対応ボタン
１０  携帯電話の互換性機能補助機種
１１  互換性機能補助機種の防水時計ベルトに施した電池
１１−ａ  互換性機能補助機種に施した電池
１２  互換性機能補助機種の液晶パネルや着信対応ボタン類装着ケース
１３  互換性機能補助機種の防水時計ベルトジョイント
１４  互換性機能補助機種の液晶パネル
１４−ａ  互換性機能補助機種の液晶パネルに日時曜日表示
１５  互換性機能補助機種の液晶パネルの日時曜日表示設定変更ボタン及び長く押しつづけると携帯電話探しボタン
１６  互換性機能補助機種の液晶パネルの日時曜日表示会わせボタン及び長く押しつづけると互換性機能補助機種電源のスイッチＯＮ・ＯＦＦボタン
１７  互換性機能補助機種の液晶パネルの動画や静止画変更及びアラーム振動・音・発光・液晶パネル表示停止ボタン
１８  互換性機能補助機種の液晶パネルの無線電波範囲表示バー
１９  互換性機能補助機種の液晶パネルの電池状態表示バー
【図１】
2008263277.tif 000003
【図２】
2008263277.tif 000004
【図３】
2008263277.tif 000005
【図４】
2008263277.tif 000006
【図５】
2008263277.tif 000007